(57)【要約】【課題】フィルタの掃除及び交換作業を容易にした真空掃除機のフィルタ装着構造を提供する。【解決手段】真空掃除機のフィルタ装着構造に関するもので、このフィルタ装着構造は、吸入口（１２）及び吐出口（１４）を有する掃除機本体（１０）と、吸入口（１２）から吐出口（１４）に連通する流路に位置する吸入ファン（６２）と、流路に着脱可能に装着される集塵箱（５０）と、吐出口（１４）の内側に装着されるフィルタ（６０）と、掃除機本体（１０）の一部分に凹設され、集塵箱（５０）が着脱可能に装着される装着部（１１）と、フィルタ（６０）がスライド方式で着脱可能に装着されるように、装着部（１１）において吐出口（１４）の内側と対応する部分に形成される挿入孔部（１３）と、を備える。【選択図】図４
2009504235.tif 000002
【特許請求の範囲】
【請求項１】
吸入口及び吐出口が形成された掃除機本体と、
前記吸入口から前記吐出口に連通する流路に位置する吸入ファンと、
前記流路に着脱可能に装着される集塵箱と、
前記吐出口の内側に装着されるフィルタと、
前記掃除機本体の一部分に凹設され、前記集塵箱が着脱可能に装着される装着部と、
前記フィルタがスライド方式で着脱可能に装着されるように、前記装着部において前記吐出口の内側と対応する部分に形成された挿入孔部と、
を備えることを特徴とする、真空掃除機のフィルタ装着構造。
【請求項２】
前記掃除機本体に固定されて前記吸入ファンを支持するハウジングをさらに備え、
前記吸入ファンは前記挿入孔部の内側に設置され、前記ハウジングは排出穴部を有し、この排出穴部の近傍には前記フィルタを支持する収納部が設けられることを特徴とする、請求項１に記載の真空掃除機のフィルタ装着構造。
【請求項３】
前記収納部は、前記挿入孔部と対応する上面が開口され、前記吐出口に対応する前面が開口され、前面周縁に複数個の外れ止め突起が形成されることを特徴とする、請求項２に記載の真空掃除機のフィルタ装着構造。
【請求項４】
前記挿入孔部には、一側周縁に切欠されてなる引出凹部が設けられることを特徴とする、請求項１に記載の真空掃除機のフィルタ装着構造。
【発明の詳細な説明】
【技術分野】
【０００１】
本発明は、真空掃除機に係り、特に、掃除機本体の解体及び別のドア無しでフィルタを吐出口の内側に挿入したり内側から取り出すことによって、フィルタの掃除及び交換作業を容易にした真空掃除機のフィルタ装着構造に関する。
【背景技術】
【０００２】
一般に、真空掃除機は、ファンモーターの駆動による真空ポンプの動作から発生した負圧による強力な吸引力によって、室内の床面、壁面、隙間などにまき散っているホコリやその他の異物を吸い込み、内部の集塵フィルタにより捕集するように構成された家電機器として知られている。
【０００３】
現在広く普及されて使用されている真空掃除機は、その使用状態と形態によって、隅掃除及び移動が便利で、ブラシーやノズルの交換が容易なキャニスタ型（Ｃａｎｉｓｔｅｒ  ｔｙｐｅ）と、広い空間の掃除に有利で、保管が便利なアップライト型（Ｕｐｒｉｇｈｔ  ｔｙｐｅ）とに大別される。
【０００４】
図１は、従来技術によるアップライト型掃除機を示す斜視図である。
【０００５】
従来のアップライト型真空掃除機は、底面に移動ホイール１０５が装着され、床面からホコリを吸い込む吸入体１００と、モーターなどの部品が組み込まれている駆動ボックス２００と、直立型の取っ手３００と、で構成される。
【０００６】
上記のような真空掃除機では、吸入体１００の底面にはブラシーが取り付けられた捕集口（図示せず）が形成され、ブラシーにより回収されたホコリが吸い込まれ、この吸い込まれたホコリは空気と共に流動してフィルタで捕集され、続いて空気は駆動ボックスの一側に形成された吐出口２１０から排出される。このとき、吐出口２１０の内側にはフィルタが装着されており、室内に排出される空気中のホコリを再度捕集する。
【０００７】
しかしながら、従来技術によるアップライト型掃除機は、吸入体１００及び駆動ボックス２００からなる比較的重い掃除機本体を直立状態に維持する必要があるため、掃除機を容易に横にしたり持ち上げたりすることができなかった。そのため、フィルタの着脱が容易でなく、フィルタの掃除及び交換作業が難しいという問題点があった。
【０００８】
なお、キャニスタ型掃除機では、掃除機本体が軽いため容易に横にしたり持ち上げたりることができるが、掃除機本体を解体したり別のドアを開いたりしてフィルタを取り出さなければならず、フィルタ掃除及び交換作業が容易でないという問題点があった。そこで、これらの問題を克服する工夫が望まれている現状である。
【発明の開示】
【発明が解決しようとする課題】
【０００９】
本発明は上記の問題点に鑑みてなされたもので、その目的は、別のドアやロック手段無しで掃除機本体の外壁から吐出口内側にフィルタを挿入したり、その内部から取り出すことができるようにすることによって、フィルタの掃除及び交換作業を容易にした真空掃除機のフィルタ装着構造を提供することにある。
【課題を解決するための手段】
【００１０】
上記の目的を達成するための本発明による真空掃除機のフィルタ装着構造は、吸入口及び吐出口が形成された掃除機本体と、前記吸入口から前記吐出口に連通する流路に位置する吸入ファンと、前記流路に着脱可能に装着される集塵箱と、
前記吐出口の内側に装着されるフィルタと、前記掃除機本体の一部分に凹設され、前記集塵箱が着脱可能に装着される装着部と、前記フィルタがスライド方式で着脱可能に装着されるように、前記装着部において前記吐出口の内側と対応する部分に形成された挿入孔部と、を備える構成とした。
【００１１】
本発明による真空掃除機のフィルタ装着構造は、前記掃除機本体に固定されて前記吸入ファンを支持するハウジングをさらに備えることができ、前記吸入ファンは前記挿入孔部の内側に設置され、前記ハウジングは排出穴部を有し、この排出穴部の近傍には前記フィルタを支持する収納部が設けられることが好ましい。ここで、前記収納部は、前記挿入孔部と対応する上面が開口され、前記吐出口に対応する前面が開口され、前面周縁に複数個の外れ止め突起が形成されることが好ましい。
【００１２】
なお、前記挿入孔部には、一側周縁に切欠されてなる引出凹部が設けられることが好ましい。
【発明の効果】
【００１３】
本発明による真空掃除機のフィルタ装着構造によれば、集塵箱が着脱可能に装着される装着部に、フィルタがスライド方式で挿入される挿入孔部が形成されるので、別のドアや固定手段無しでフィルタを容易に装着及び分離でき、フィルタの掃除及び交換作業にかかる時間を減らすことが可能になる。
【００１４】
なお、本発明によれば、挿入孔部の内側に吸入ファンを支持するハウジングが配置され、ハウジングの排出穴部の近傍にフィルタを支持する収納部が形成されるので、吸入ファンにより供給される空気によりフィルタが動いたり外れたりすることを防止し、掃除機の駆動中に発生する振動及び騒音を低減することが可能になる。
【発明を実施するための最良の形態】
【００１５】
以下、本発明に係る真空掃除機のフィルタ装着構造の実施形態について、添付の図面を参照しつつ詳細に説明する。
【００１６】
図２は、本発明による真空掃除機を示す斜視図であり、図３は、本発明による真空掃除機を示す背面斜視図である。
【００１７】
本発明による真空掃除機は、内部に形成された一定空間を有し、吸入口１２及び吐出口１４が形成された掃除機本体１０と、上面に掃除機本体１０が着脱可能に直立するようにして設置され、捕集口（図示せず）及び排出口１８が形成された吸入体１５と、吸入口１２と排出口１８との間に連設された流入管７０と、掃除機本体１０に着脱可能に取り付けられ、中空とした内部が異物の流入する流路を形成する延長管３０と、延長管３０の上端に取り付けられ、異物の流入する流路をさらに形成する取っ手２０と、吸入口１２から吐出口１４に連通する流路の一側に装着された吸入ファン６２と、この流路の一側に着脱可能に設置された集塵箱５０と、吐出口１４の内側に装着されたフィルタ６０と、を備えてなる。
【００１８】
上記の構成はアップライト型真空掃除機に係るもので、延長管３０及び取っ手２０を掃除機本体１０から取り外し、流入管７０を排出口１８から外して取っ手２０に締結した後に掃除機本体１０を吸入体１５から分離することで、キャニスタ型に切替可能な真空掃除機である。したがって、本発明による真空掃除機のフィルタ装着構造は、一般のキャニスタ型真空掃除機及びアップライト型真空掃除機のように、集塵箱とフィルタを備える真空掃除機であればいずれにも適用可能である。
【００１９】
図４は、本発明による真空掃除機において集塵箱５０及びフィルタ６０を取り外した状態で示す分解斜視図であり、図５は、本発明による真空掃除機のフィルタ装着構造を示す分解斜視図であり、図６は、本発明による真空掃除機のフィルタ装着構造を示す断面図である。
【００２０】
本発明による真空掃除機のフィルタ装着構造は、掃除機本体１０の一部分に凹設され、集塵箱５０が着脱可能に装着される装着部１１と、フィルタ６０がスライド方式で着脱可能に装着されるように、装着部１１において吐出口１４の内側と対応する部分が開口されてなる挿入孔部１３と、を備える。
【００２１】
したがって、集塵箱５０を装着部１１から外すと挿入孔部１３が開放され、この挿入孔部１３からフィルタ６０を挿入したり取り出したりすることができ、集塵箱５０の掃除時にフィルタ６０の掃除も容易にでき、掃除機内部の掃除作業を容易に行うことができる。
【００２２】
なお、吸入ファン６２は挿入孔部１３の内側に装着され、掃除機本体１０に固定されて吸入ファン６２を支持するハウジング６４が設けられるので、フィルタ６０を挿入孔部１３から吐出口１４の内側に挿入すると、フィルタ６０はハウジング６４に収容される。このハウジング６４には、吸入ファン６２により流入した空気が吐出される排出穴部６４ａが形成され、排出穴部６４ａの近隣にはフィルタ６０が収納される収納部６４ｂが形成される。
【００２３】
収納部６４ｂは、挿入孔部１３と対応する上面が開口され、吐出口１４と対応する前面が開口されているので、吸入ファン６２、ハウジング６４及び掃除機本体１０の組立後に挿入孔部１３からフィルタ６０を挿入すると、フィルタ６０は、ハウジング６４の排出穴部６４ａの近傍に形成された収納部６４ｂに挿入されながらハウジング６４の排出穴部６４ａと吐出口１４との間に介在され、これにより、吸入ファン６２により排出される空気中の異物がフィルタ６０で捕集される。
【００２４】
なお、収納部６４ｂの前面周縁には複数個の外れ止め突起６４ｃが形成され、これにより、排出穴部６４ａから吐出される空気によりフィルタ６０が動くことや、収納部６４ｂからフィルタ６０が外れることが防止され、掃除機の駆動中に振動及び騒音が発生するのを抑えることができる。
【００２５】
なお、フィルタ６０の長さは、装着部１１の底面から収納部６４ｂの底面までの長さと同一に形成され、フィルタ６０を挿入孔部１３から収納部６４ｂに挿入すると、装着部１１の底面とフィルタ６０の上面が平面をなすので、集塵箱５０の着脱時に干渉が発生しない。また、挿入孔部１３は、一側周縁が切欠されてなる引出凹部１３ａを有し、よって、使用者は引出凹部１３ａに指を入れてフィルタ６０を容易に握ることができる。
【００２６】
上記のように構成された本発明による真空掃除機のフィルタ装着構造の作用について説明する。
【００２７】
まず、フィルタ６０の装着に当っては集塵箱５０を装着部１１から取り外す。その後、挿入孔部１３内にフィルタ６０をスライドさせながら押し込むと、フィルタ６０がハウジング６４の収納部６４ｂに収納された状態で装着される。再び集塵箱５０を装着部１１に嵌めると集塵箱５０の底面がフィルタ６０の上面を拘束し、フィルタ６０の動きが防止される。
【００２８】
以降、掃除機に電源を印加すると、吸入ファン６２の駆動によって吸入口１２から異物及び空気が流入し、掃除機本体１０の内部に形成された流路を通って空気及び異物は集塵箱５０内に流入する。この集塵箱５０内で異物が１次除去され、集塵箱５０から排出された空気は吸入ファン６２及び排出穴部６４ａを通ってフィルタ６０を通過しながら２次異物除去が行われた後、吐出口１４から外部に排出される。
【００２９】
この掃除作業が長期間続くと集塵箱５０内部は異物で一杯になるが、この時、使用者は、掃除機本体１０から集塵箱５０を取り外して集塵箱５０を掃除し、引出凹部１３ａに指を入れてフィルタ６０を取り出せば良いので、フィルタ６０の掃除及び交換作業を容易に行うことができる。
【００３０】
このような本発明による真空掃除機のフィルタ装着構造により、フィルタ６０の装着及び分離を容易に行うことが可能になる。
【図面の簡単な説明】
【００３１】
【図１】一般の真空掃除機を示す斜視図である。
【図２】本発明による真空掃除機を示す斜視図である。
【図３】本発明による真空掃除機を示す背面斜視図である。
【図４】本発明による真空掃除機において集塵箱及びフィルタを切り離して示す分解斜視図である。
【図５】本発明による真空掃除機のフィルタ装着構造を示す分解斜視図である。
【図６】本発明による真空掃除機のフィルタ装着構造を示す断面図である。
【図１】
2009504235.tif 000003
【図２】
2009504235.tif 000004
【図３】
2009504235.tif 000005
【図４】
2009504235.tif 000006
【図５】
2009504235.tif 000007
【図６】
2009504235.tif 000008
【国際調査報告】
2009504235.tif 000009
2009504235.tif 000010
2009504235.tif 000011